(57)【特許請求の範囲】
【請求項１】
通知情報検証装置（ＮＩＣＥ）と公衆電気通信網（ＰＳＴＮ）と公衆電気通信網（ＰＳＴＮ）に接続された電話回線１（ＳＬ１）および公衆電気通信網（ＰＳＴＮ）に接続された発信者情報表示装置（ＤＰ）を有する電話回線２（ＳＬ２）とからなる電気通信系統において、通知情報検証装置（ＮＩＣＥ）と公衆電気通信網（ＰＳＴＮ）を共通線信号線（＃７）およびディジタル多重通信信号線（Ｈ／Ｗ）にて接続し、通知情報検証装置（ＮＩＣＥ）に着信用として電話番号１（Ｎ１）と電話番号２（Ｎ２）を割り当て、通知情報検証装置（ＮＩＣＥ）の内部的に電話番号１（Ｎ１）を発信検証用受付電話番号、電話番号２（Ｎ２）を着信検証用受付電話番号として割り当てる。通知情報検証装置（ＮＩＣＥ）は、公衆電気通信網（ＰＳＴＮ）に接続された電話回線１（ＳＬ１）から、割り当てられた電話番号１（Ｎ１）に向けた発信をディジタル多重通信信号線（Ｈ／Ｗ）を経て受信すると、発信した電話回線１（ＳＬ１）に設定してあるその時点の発信者情報内容を共通線信号線（＃７）より得、その発信者情報内容を電気信号にて電話回線１（ＳＬ１）に向けディジタル多重通信信号線（Ｈ／Ｗ）を通じて送出する。また、通知情報検証装置（ＮＩＣＥ）は、公衆電気通信網（ＰＳＴＮ）に接続された発信者情報通知サービス表示装置（ＤＰ）を有する電話回線２（ＳＬ２）から、割り当てられた電話番号２（Ｎ２）に向けた発信をディジタル多重通信信号線（Ｈ／Ｗ）を経て受信すると、発信者情報表示装置（ＤＰ）にて受信試験を行いたい発信者情報形態を選択するための命令を受け付ける状態になり、電話回線２（ＳＬ２）からその命令を電気信号にて受け取ると、通知情報検証装置（ＮＩＣＥ）と電話回線（ＳＬ２）間の電話回線を一旦切断した後、受け取った電気信号による命令に対応する形態の発信者情報を共通線信号線（＃７）に送出するとともにディジタル多重通信信号線（Ｈ／Ｗ）を通じて電話回線（ＳＬ２）を呼び出すことで、その呼び出しが電話回線（ＳＬ２）に着信するとき選択された形態の発信者情報を発信者情報表示装置（ＤＰ）に表示させることを特徴とした発信者情報通知サービスにおける通知情報検証システム。
【発明の詳細な説明】
【０００１】
【発明の属する技術分野】
本発明は従来から行われている公衆電気通信網（ＰＳＴＮ）における発信者情報通知サービスにおいて、通信の発信時に相手方に通知される情報形態と通知内容を検証するとともに、通信の着信時に発信者（通信の相手方）の情報を表示する発信者情報表示装置の機能を検証する技術に関するものである。
【０００２】
【従来の技術】
図２は、従来の発信者情報通知サービスにおける電気通信系統を示す図である。
【０００３】
相手方電話回線（ＳＬ３）が有する発信者情報表示装置（ＤＰ）には発信者情報通知サービスにより発信者である電話回線（ＳＬ１）の電話番号等の発信者情報が表示される。
【０００４】
【発明が解決しようとする課題】
上記には以下のような欠点がある。
電話回線１（ＳＬ１）を使用して通信を設定する者が、発信者情報通知サービスにより発信者情報がどのように通信の相手に通知されるかを直ちに検証することができない。また、発信者情報表示装置（ＤＰ）を有している者が、複数ある発信者情報の形態を正常に受信し表示することができるかどうかを、直ちに検証することができない。
本発明は、以上のような課題を解決するためになされたものである。
【０００５】
【課題を解決するための手段】
本発明のシステムは、図１に示すように通知情報検証装置（ＮＩＣＥ）と公衆電気通信網（ＰＳＴＮ）と公衆電気通信網（ＰＳＴＮ）に接続された電話回線１（ＳＬ１）および公衆電気通信網（ＰＳＴＮ）に接続された発信者情報表示装置（ＤＰ）を有する電話回線２（ＳＬ２）とからなる電気通信系統において、通知情報検証装置（ＮＩＣＥ）と公衆電気通信網（ＰＳＴＮ）を共通線信号線（＃７）およびディジタル多重通信信号線（Ｈ／Ｗ）にて接続し、通知情報検証装置（ＮＩＣＥ）に着信用として電話番号１（Ｎ１）と電話番号２（Ｎ２）を割り当て、通知情報検証装置（ＮＩＣＥ）の内部的に電話番号１（Ｎ１）を発信検証用受付電話番号、電話番号２（Ｎ２）を着信検証用受付電話番号として割り当てる。本発明は、以上のような電気通信系統の構成による発信者情報通知サービスにおける通知情報検証システムである。
【０００６】
【発明の実施の形態】
以下、本発明の実施の形態について説明する。
通知情報検証装置（ＮＩＣＥ）と公衆電気通信網（ＰＳＴＮ）と公衆電気通信網（ＰＳＴＮ）に接続された電話回線１（ＳＬ１）および公衆電気通信網（ＰＳＴＮ）に接続された発信者情報表示装置（ＤＰ）を有する電話回線２（ＳＬ２）とからなる電気通信系統において、通知情報検証装置（ＮＩＣＥ）と公衆電気通信網（ＰＳＴＮ）を共通線信号線（＃７）およびディジタル多重通信信号線（Ｈ／Ｗ）にて接続し、通知情報検証装置（ＮＩＣＥ）に着信用として電話番号１（Ｎ１）と電話番号２（Ｎ２）を割り当て、通知情報検証装置（ＮＩＣＥ）の内部的に電話番号１（Ｎ１）を発信検証用受付電話番号、電話番号２（Ｎ２）を着信検証用受付電話番号として割り当てる。
本発明は、以上のような電気通信系統の構成で、これを使用するときは以下のように行う。
【０００７】
（１）公衆電気通信網（ＰＳＴＮ）に接続された電話回線１（ＳＬ１）が任意の相手方と通信を設定したとき、どのように発信者情報が相手方に通知されているかを検証する手段として使用するときは、公衆電気通信網（ＰＳＴＮ）に接続された電話回線１（ＳＬ１）より通知情報検証装置（ＮＩＣＥ）に割り当てられた電話番号１（Ｎ１）呼び出す。通知情報検証装置（ＮＩＣＥ）はこの呼び出しがディジタル多重通信信号線（Ｈ／Ｗ）を経て着信すると、共通線信号線（＃７）より公衆電気通信網（ＰＳＴＮ）に接続された電話回線１（ＳＬ１）の発信者情報を得、その内容を音声信号、モデム信号などの電気信号によりディジタル多重通信信号線（Ｈ／Ｗ）を通じて電話回線１（ＳＬ１）に向け送出する。電話回線１（ＳＬ１）は、この電気信号を受信することで、その時点における発信者情報がどのように相手に通知されているか、その形態と内容を直ちに検証することができる。
【０００８】
（２）公衆電気通信網（ＰＳＴＮ）に接続された発信者情報表示装置（ＤＰ）を有する電話回線２（ＳＬ２）の発信者情報表示装置（ＤＰ）が、複数ある発信者情報形態を正しく受信し表示できるかどうかの検証を行う手段として使用するときは、公衆電気通信網（ＰＳＴＮ）に接続された電話回線２（ＳＬ２）より通知情報検証装置（ＮＩＣＥ）に割り当てられた電話番号２（Ｎ２）を呼び出す。通知情報検証装置（ＮＩＣＥ）はこの呼び出しがディジタル多重通信信号線（Ｈ／Ｗ）を経て着信すると、共通線信号線（＃７）より呼び出しを行った電話回線２（ＳＬ２）の電話番号を認識し、複数ある発信者情報形態の内、どの形態の情報を受信したいのかを選択するための命令を送出するよう催促する電気信号をディジタル多重通信信号線（Ｈ／Ｗ）を通じて電話回線２（ＳＬ２）に向けて送出する。この命令を催促する電気信号を受けた電話回線２（ＳＬ２）は、予め定めてある発信者情報形態毎に対応する命令から一つを選択し電気信号にて通知情報検証装置（ＮＩＣＥ）に送出する。通知情報検証装置（ＮＩＣＥ）はこの命令を受信すると、電話回線２（ＳＬ２）との間の電話回線を一旦切断した後、受信した命令に対応する形態の発信者情報を共通線信号線（＃７）に送出するとともに、ディジタル多重通信信号線（Ｈ／Ｗ）を通じて電話回線２（ＳＬ２）を呼び出す。この呼び出しが電話回線２（ＳＬ２）に着信する時、電話回線２（ＳＬ２）が有する発信者情報表示装置（ＤＰ）に通知情報検証装置（ＮＩＣＥ）が共通線信号線（＃７）に送出した発信者情報が表示される。このことにより、選択した発信者情報形態による情報が電話回線２（ＳＬ２）が有する発信者情報表示装置（ＤＰ）に正しく表示されるかどうかを直ちに検証することができる。
【０００９】
【実施例１】
図１は、本発明の発信者情報通知サービスにおける通知情報検証システムの一実施例を示し、以下その詳細について説明する。
図１は、通知情報検証装置（ＮＩＣＥ）と公衆電気通信網（ＰＳＴＮ）と公衆電気通信網（ＰＳＴＮ）に接続された電話回線１（ＳＬ１）および公衆電気通信網（ＰＳＴＮ）に接続された発信者情報表示装置（ＤＰ）を有する電話回線２（ＳＬ２）とからなる電気通信系統において、通知情報検証装置（ＮＩＣＥ）と公衆電気通信網（ＰＳＴＮ）を共通線信号線（＃７）およびディジタル多重通信信号線（Ｈ／Ｗ）にて接続し、通知情報検証装置（ＮＩＣＥ）に着信用として電話番号１（Ｎ１）と電話番号２（Ｎ２）を割り当てるとともに、通知情報検証装置（ＮＩＣＥ）の内部的に電話番号１（Ｎ１）を発信検証用電話番号、電話番号２（Ｎ２）を着信検証用電話番号として割り当てた実施例を示す。
【００１０】
図１の構成によれば、たとえば電話回線１（ＳＬ１）を使用する者Ａが、任意の通信相手と通信を設定する際に、発信者情報通知サービスによりどのような形態と内容で電話回線１（ＳＬ１）の情報が相手方に通知されるかを直ちに知りたい時、Ａは電話回線１（ＳＬ１）に接続されている電話端末機器等から通知情報検証装置（ＮＩＣＥ）の発信検証用として割り当てられた電話番号１（Ｎ１）に電話をかける。通知情報検証装置（ＮＩＣＥ）は、電話回線１（ＳＬ１）からの電話が公衆電気通信網（ＰＳＴＮ）に接続されているディジタル多重通信信号線（Ｈ／Ｗ）を経て着信すると、公衆電気通信網（ＰＳＴＮ）に接続されている共通線信号線（＃７）を通じて、その時点で設定されてある電話回線１（ＳＬ１）の発信者情報を取得し、その情報をディジタル多重通信信号線（Ｈ／Ｗ）を通じて音声信号による電気信号にて電話回線１（ＳＬ１）に向け送出する。Ａは、この送出された電気信号を受信することにより、発信者情報がその時点でどのような形態で設定されており、どのような内容で相手に通知されるかを直ちに知ることができる。
【００１１】
上記の過程をわかりやすく箇条書きにすれば、
（１）Ａは、電話回線１（ＳＬ１）に接続されている電話端末機器等から通知情報検証装置（ＮＩＣＥ）発信検証用として割り当てられた電話番号１（Ｎ１）に電話をかける。
（２）通知情報検証装置（ＮＩＣＥ）は、電話回線１（ＳＬ１）からの電話がディジタル多重通信信号線（Ｈ／Ｗ）を経て着信すると、公衆電気通信網（ＰＳＴＮ）に接続されている共通線信号線（＃７）を通じて、その時点で設定されてある電話回線１（ＳＬ１）の発信者情報を取得する。
（３）通知情報検証装置（ＮＩＣＥ）は、上記取得した発信者情報を音声信号による電気信号に変換し電話回線１（ＳＬ１）へディジタル多重通信信号線（Ｈ／Ｗ）を通じて送出する。
（４）Ａは、電話回線１（ＳＬ１）に接続されている電話端末機器等により上記電気信号を受信することで、電話回線１（ＳＬ１）に設定されている発信者情報の形態と内容を直ちに知ることができる。
【００１２】
【実施例２】
図１の構成において、発信者情報表示装置（ＤＰ）を有する電話回線２（ＳＬ２）を使用するＢが、保有する発信者情報表示装置（ＤＰ）が複数ある発信者情報形態毎に正しく受信し表示するかどうかの検証を行いたいとき、Ｂは電話回線２（ＳＬ２）に接続されている電話端末機等から通知情報検証装置（ＮＩＣＥ）の着信検証用として割り当てられた電話番号２（Ｎ２）に電話をかける。通知情報検証装置（ＮＩＣＥ）は電話回線２（ＳＬ２）からの電話がディジタル多重通信信号線（Ｈ／Ｗ）を経て着信すると、公衆電気通信網（ＰＳＴＮ）に接続されている共通線信号線（＃７）を通じて電話回線２（ＳＬ２）の電話番号を知ると共に、複数ある発信者情報形態の中から一つを選択する命令を送出するよう催促する旨の電気信号をディジタル多重通信信号線（Ｈ／Ｗ）を通じて電話回線２（ＳＬ２）に向けて送出する。この催促の電気信号を受けたＢは、予め定めてある発信者情報形態毎に対応する命令から受信試験を行いたい形態に該当する命令を一つ選択し電気信号にて通知情報検証装置（ＮＩＣＥ）に送出する。通知情報検証装置（ＮＩＣＥ）は、この命令を受けると通知情報検証装置（ＮＩＣＥ）と電話回線２（ＳＬ２）間の電話回線を一旦切断した後、受信した命令に対応する形態の発信者情報を共通線信号線（＃７）に送出するとともに、先に共通線信号線（＃７）を通じて知った電話回線２（ＳＬ２）の電話番号を基にディジタル多重通信信号線（Ｈ／Ｗ）を通じて折り返しの電話をかける。この折り返しの電話が電話回線２（ＳＬ２）に着信するとき、電話回線２（ＳＬ２）が有する発信者情報表示装置（ＤＰ）に通知情報検証装置（ＮＩＣＥ）が共通線信号線（＃７）に送出した発信者情報が表示され、Ｂはその表示が選択した形態通りの情報であるかどうかを確認することにより、発信者情報表示装置（ＤＰ）が正しく機能しているかどうかを検証することができる。
【００１３】
上記の過程をわかりやすく箇条書きすれば、
（１）Ｂは、電話回線２（ＳＬ２）に接続されている電話端末機等から通知情報検証装置（ＮＩＣＥ）の着信検証用に割り当てられた電話番号２（Ｎ２）に電話をかける。
（２）通知情報検証装置（ＮＩＣＥ）は電話回線２（ＳＬ２）からの電話がディジタル多重通信信号線（Ｈ／Ｗ）を経て着信すると、公衆電気通信網（ＰＳＴＮ）に接続されている共通線信号線（＃７）を通じて電話回線２（ＳＬ２）の電話番号を知ると共に、複数ある発信者情報形態の中から一つを選択する命令を送出するよう催促する旨の電気信号を電話回線２（ＳＬ２）に向けディジタル多重通信信号線（Ｈ／Ｗ）を通じて送出する。
（３）Ｂは、この催促の電気信号を受信すると、予め定めてある発信者情報形態毎に対応する命令から受信試験を行いたい一つを選択し電気信号にて通知情報検証装置（ＮＩＣＥ）に送出する。
（４）通知情報検証装置（ＮＩＣＥ）はこの命令を受信すると、電話回線２（ＳＬ２）との間の電話回線を切断する。
（５）通知情報検証装置（ＮＩＣＥ）は（４）で受けた命令に対応する形態の発信者情報を共通線信号線（＃７）に送出するとともに、（２）で知った電話回線２（ＳＬ２）の電話番号を基に、ディジタル多重通信信号線（Ｈ／Ｗ）を通じて電話回線２（ＳＬ２）へ折り返しの電話をかける。
（６）この折り返しの電話が電話回線２（ＳＬ２）へ着信するとき、電話回線２（ＳＬ２）が有している発信者情報表示器（ＤＰ）に（５）で共通線信号線（＃７）に送出された情報が表示されることにより、Ｂはその発信者情報表示器（ＤＰ）が正しく機能しているかどうか検証することができる。
【００１４】
【発明の効果】
本発明の発信者情報通知サービスにおける通知情報検証システムによれば、電気通信事業者が提供する発信者情報通知サービスによる発信者情報がどのよう形態と内容で相手方に通知されているかを利用者が直ちに知ることができ、利用者のプライバシーの保護に活用できると共に、利用者の有する発信者情報表示器が多種ある発信者情報形態を正しく受信し表示するかを直ちに検証することができ、発信者情報表示器の新規設置工事や点検の際に活用できる。
よって、本発明の発信者情報通知サービスにおける通知情報検証システムは工業的、実用的にその価値極めて大なるものがある。
【図面の簡単な説明】
【図１】図１は、本発明の発信者情報通知サービスにおける通知情報検証システムの電気通信系統を示す図である。
【図２】従来の発信者情報通知サービスにおいて公衆電気通信網（ＰＳＴＮ）に接続されている電気通信系統を示す図である
【符号の説明】
ＮＩＣＥ：通知情報検証装置
ＰＳＴＮ：公衆電気通信網
ＤＰ：発信者情報表示装置
ＳＬ１：公衆電気通信網に接続された電話回線１
ＳＬ２：公衆電気通信網に接続された発信者情報表示装置を有する電話回線２
ＳＬ３：公衆電気通信網に接続された相手方の電話回線
＃７：共通線信号線
Ｈ／Ｗ：ディジタル多重通信信号線
Ｎ１：通知情報検証装置に着信用として割り当てられ且つ、内部的に発信検証用受付番号として割り当てられた電話番号１
Ｎ２：通知情報検証装置に着信用として割り当てられ且つ、内部的に着信検証用受付番号として割り当てられた電話番号２
【図１】
0004103023.tif 000002
【図２】
0004103023.tif 000003